(57)【要約】【課題】本発明では、導電性材料を利用したバーコード５０１，５０２，５０３，５１１の摩耗劣化を防ぐことを目的とする。また、そのバーコードを利用したリモコン装置１７０を提供することも本発明の目的とする。【解決手段】本発明に係るバーコードラベル５０１，５０２，５０３，５１１は、バーコード情報保持媒体１０，１５および第１非導電性保護部材２０，２２を備える。バーコード情報保持媒体１０，１５は、導電性を有する。第１非導電性保護部材２０，２２は、バーコード情報保持媒体１０，１５を保護する。そして、バーコード情報保持媒体１０，１５に保持されるバーコード情報は、バーコード情報保持媒体１０，１５の誘電率を利用して読み取られる。【選択図】        図１
2005010889.tif 000002
【特許請求の範囲】
【請求項１】
導電性を有するバーコード情報保持媒体（１０，１５）と、
前記バーコード情報保持媒体（１０，１５）を保護する第１非導電性保護部材（２０，２２）と、
を備える、バーコードラベル（５０１，５０２，５０３，５１１）。
【請求項２】
前記バーコード情報保持媒体（１０，１５）は、前記第１非導電性保護部材（２０，２２）の内部に埋設される、
請求項１に記載のバーコードラベル（５０３）。
【請求項３】
前記第１非導電性保護部材（２０，２２）は、その材質の硬度が前記バーコード情報保持媒体（１０，１５）の材質の硬度よりも高く、
前記バーコード情報保持媒体（１０，１５）は、前記第１非導電性保護部材（２０，２２）の表面付近まで埋設される、
請求項１に記載のバーコードラベル（５０２）。
【請求項４】
前記第１非導電性保護部材（２２）および前記バーコード情報保持媒体（１５）は、透明性をさらに有する、
請求項１から３のいずれかに記載のバーコードラベル（５１１）。
【請求項５】
人が識別可能な情報が表示される面を少なくとも１つ有する第２非導電性部材（３０）をさらに備え、
前記第１非導電性材料（２２）または前記バーコード情報保持媒体（１５）の一部または全部は、前記面のうち少なくとも１つの面に接する、
請求項４に記載のバーコードラベル。
【請求項６】
請求項１から５のいずれかに記載のバーコードラベル（５０１，５０２，５０３，５１１）のバーコード情報保持媒体（１０，１５）に保持されるバーコード情報を利用して、対象となる設備機器（３００，３１０）の運転を制御するリモコン装置（１７０）であって、
前記第１非導電性保護部材（２０，２２）を介して前記バーコード情報保持媒体（１０，１５）の誘電率を検出する少なくとも１対の電極（１１０）と、
前記誘電率の計測信号をデジタル信号に変換するＡ／Ｄ変換部（４０２）と、
前記デジタル信号を前記設備機器（３００，３１０）の制御信号に変換するデコーダ（４０３）と、
前記制御信号に基づいてリモコン信号を生成するリモコン信号生成部（４０４）と、
前記リモコン信号を送信する送信部（４０５）と、
を備える、リモコン装置（１７０）。
【請求項７】
前記１対の電極（１１０）の電極間距離は、前記バーコード情報保持媒体（１０，１５）を構成する矩形バーのうち最も細い矩形体の幅の半分以下である、
請求項６に記載のリモコン装置（１７０）。
【発明の詳細な説明】
【０００１】
【発明の属する技術分野】
本発明は、バーコード情報保持媒体、およびそのバーコード情報保持媒体に保持されるバーコード情報を利用して複数の家電製品などを制御することができるリモコン装置に関する。
【０００２】
【従来の技術】
近年、証明書類やセキュリティカードなどの信頼性向上について、様々な検討がなされている（例えば、特許文献１および特許文献２参照）。特許文献１には、証書類の真贋判定を容易にできるバーコードの発明が開示されている。また、特許文献２には、偽造や改ざんが困難なセキュリティカードを製造するために必要なバーコードの発明が開示されている。これら発明に係るバーコードは、その導電性の計測により、そのバーコードに化体される情報の読み取りが可能となっていることに特徴がある。
【０００３】
【特許文献１】
特開平８−１１８８６４号公報（第２−４項、図１）
【０００４】
【特許文献２】
特開平８−１６１４５２号公報（第２−３項、図１）
【０００５】
【発明が解決しようとする課題】
しかし、このバーコード情報を読み取る場合、導電性を検出するための電極がそのバーコードの矩形バーに接触した状態でその矩形バーの並列方向にスキャンされる必要があるため、従来から用いられている光学読み取り可能なバーコードでは問題とならない「摩耗による劣化」が心配される。
【０００６】
そこで、本発明では、導電性材料を利用したバーコードの摩耗劣化を防ぐことを目的とする。また、そのバーコードを利用したリモコン装置を提供することも本発明の目的とする。
【０００７】
【課題を解決するための手段】
請求項１に記載のバーコードラベルは、バーコード情報保持媒体および第１非導電性保護部材を備える。なお、ここにいう「バーコード情報保持媒体」とは、矩形のプラスチックフィルムや塗膜などを連続的に平行配置させたものなどである。バーコード情報保持媒体は、導電性を有する。なお、導電性を有するバーコード情報保持媒体は、特許文献１および特許文献２に記載される方法により調整することができる。また、このような「バーコード情報保持媒体」は、印刷などの技術を利用することにより形成可能である。さらに、この「バーコード情報保持媒体」は、第１非導電性保護部材の上に形成されてもよいし、第１非導電性保護部材の内部に埋設されてもよい。第１非導電性保護部材は、バーコード情報保持媒体を保護する。
【０００８】
ここでは、例えば、バーコード情報保持媒体が第１非導電性保護部材の上に形成されるようなバーコードラベルの場合、そのバーコードラベルは、バーコード情報保持媒体の保持側の面が基材と面するように両面テープや接着剤などを用いて粘着または接着される。そして、誘電率検出電極を備える読み取り装置が、その誘電率検出電極により第１非導電性保護部材を介してバーコード情報保持媒体の誘電率を検出し、その検出結果を利用してバーコード情報保持媒体に保持されているバーコード情報を読み取る。このため、その読み取り装置が、バーコード情報保持媒体に直接接触することがない。したがって、バーコード情報保持媒体の摩耗劣化を防ぐことができる。また、第１非導電性保護部材が透明でなければ、人は、バーコードパターンを読み取ることができない。このため、偽造や改ざんを困難にすることができるという利点も生じる。
【０００９】
請求項２に記載のバーコードラベルは、請求項１に記載のバーコードラベルであって、バーコード情報保持媒体は、第１非導電性保護部材の内部に埋設される。
ここでは、バーコード情報保持媒体は、第１非導電性保護部材の内部に埋設される。このため、バーコード情報保持媒体の摩耗を防ぐことができる。なお、このような形態のバーコードラベルでは、バーコード情報保持媒体の誘電率を計測することによりそのバーコード情報を読み取ることが可能である。
【００１０】
請求項３に記載のバーコードラベルは、請求項１に記載のバーコードラベルであって、第１非導電性保護部材は、その材質の硬度がバーコード情報保持媒体の材質の硬度よりも高い。また、バーコード情報保持媒体は、第１非導電性保護部材の表面付近まで埋設される。
ここでは、バーコード情報保持媒体が第１非導電性保護部材の表面付近まで埋設されており、かつ、第１非導電性保護部材がその材質の硬度がバーコード表示の材質の硬度よりも高い。このため、バーコード情報保持媒体の導電率を計測する場合であっても、バーコード情報保持媒体の摩耗を防ぐことができる。また、このバーコードラベルは、裏返して用いられてもよい。この場合は、バーコード情報保持媒体の誘電率を計測することになる。このように裏返して使用すれば、さらに確実にバーコード情報保持媒体の摩耗を防ぐことができる。
【００１１】
請求項４に記載のバーコードラベルは、請求項１から３のいずれかに記載のバーコードラベルであって、第１非導電性保護部材およびバーコード情報保持媒体は、透明性をさらに有する。なお、ここにいう「透明性」とは裏側が透けて見えることを意味し、着色されていてもかまわない。また、ここにいう「バーコード情報保持媒体」は、特開平８−１６１４５２号公報に開示される発明を利用することにより作成することができる。さらに、ここにいう「透明性を有する第１非導電性保護部材」とは、ガラスやプラスチックなどである。
【００１２】
ここでは、第１非導電性保護部材およびバーコード情報保持媒体が、透明性を有する。このため、このバーコード情報保持媒体に保持されるバーコード情報に対応する文字や図形などの上にそのバーコードラベルを添付すれば、人は、その文字や図形などを理解した上で、そのバーコード情報を利用することができる。このようなバーコードラベルの用途の一例として、家電製品のリモコンが挙げられる。通常、一つの家電製品には、一つのリモコン装置が用意されている。このため、家庭内には、テレビのリモコン、ビデオのリモコン、オーディオのリモコン、空気調和機のリモコンなど多種多様なリモコンが散乱していることが多い。そこで、全ての家電製品に対応するリモコン装置の登場が望まれることになる。ここで、例えば、冊子などに複数のメーカーが製造販売する複数の家電製品のリモコンのデザインを掲載し、そのデザイン上にその制御信号に変換可能なバーコード情報を付加しておけば、その家電の使用者は、１台のリモコン装置で複数の家電製品を制御することが可能となる。したがって、家庭内におけるリモコン装置の管理を容易にすることができる。
【００１３】
請求項５に記載のバーコードラベルは、請求項４に記載のバーコードラベルであって、第２非導電性部材をさらに備える。第２非導電性部材は、人が識別可能な情報が表示される面を少なくとも１つ有する。なお、ここにいう「人が識別可能な情報」とは文字や図形などである。また、第１非導電性材料またはバーコード情報保持媒体の一部または全部は、その面のうち少なくとも１つの面に接する。
【００１４】
従来、人がバーコード情報保持媒体に化体される情報を読み取ることは非常に困難であった。しかし、ここでは、人が識別可能な文字や図形の上に透明なバーコード情報保持媒体が設けられる。このため、人は、その意味を理解しながらそのバーコード情報を利用することができる。
請求項６に記載のリモコン装置は、請求項１から５のいずれかに記載のバーコードラベルのバーコード情報保持媒体に保持されるバーコード情報を利用して、対象となる設備機器の運転を制御するリモコン装置であって、少なくとも１対の電極、Ａ／Ｄ変換部、デコーダ、リモコン信号生成部、および送信部を備える。なお、このリモコン装置は、通常のリモコン装置であってもよいしリモコン機能を備えた携帯電話や携帯端末（例えば、ＰＤＡなど。）などであってもよい。１対の電極は、第１非導電性保護部材を介してバーコード情報保持媒体の誘電率を検出する。Ａ／Ｄ変換部は、誘電率の計測信号をデジタル信号に変換する。デコーダは、デジタル信号を制御信号に変換する。リモコン信号生成部は、制御信号に基づいてリモコン信号を生成する。送信部は、リモコン信号を送信する。
【００１５】
ここでは、１対の電極が第１非導電性保護部材を介してバーコード情報保持媒体の誘電率を検出すると、Ａ／Ｄ変換部が、誘電率の計測信号をデジタル信号に変換する。続いて、デコーダが、デジタル信号を制御信号に変換する。さらに続いて、リモコン信号生成部が、制御信号に基づいてリモコン信号を生成する。そして、送信部が、リモコン信号を送信する。このため、バーコード情報保持媒体が保護フィルムなどで保護されている場合であっても、その誘電率を利用してバーコード情報を読み取ることができる。また、そのバーコード情報を利用して、対象となる設備機器を制御することができる。
【００１６】
請求項７に記載のリモコン装置は、請求項６に記載のリモコン装置であって、１対の電極の電極間距離は、バーコード情報保持媒体を構成する矩形体のうち最も細い矩形バーの幅の半分以下である。
ここでは、１対の電極の電極間距離が、バーコード情報保持媒体を構成する矩形体のうち最も細い矩形バーの幅の半分以下である。このため、バーコード情報保持媒体を精度よく読み取ることができる。
【００１７】
【発明の実施の形態】
＜バーコードラベルの形態＞
図１には、本発明に係るバーコードラベルの形態を示した。図１（ａ）には、保護フィルム２０上にバーコード情報保持媒体１０を形成したバーコードラベル５０１（以下、表面型バーコードラベルという。）の形態が表されている。また、図１（ｂ）には、バーコード情報保持媒体１０を保護フィルム２０の表面付近まで埋設させたバーコードラベル５０２（以下、表面埋設型バーコードラベルという。）の形態が表されている。さらに、図１（ｃ）には、バーコード情報保持媒体１０を保護フィルム２０に完全に埋設させたバーコードラベル５０３（以下、埋設型バーコードラベルという。）の形態が表されている。加えて、図１（ｄ）には、バーコード情報保持媒体１０と保護フィルム２０とが透明である表面型バーコードラベル５１１（以下、表面型透明バーコードラベルという。なお、図１（ｂ）および（ｃ）のような形態をとっている透明バーコードラベルを、それぞれ表面埋設型透明バーコードラベルおよび埋設型透明バーコードラベルという。）の形態が表されている。以下、それぞれのバーコードラベル５０１，５０２，５０３，５１１について説明を施す。
【００１８】
（１）表面型バーコードラベル５０１
このようなバーコードラベル５０１は、従来の印刷技術などを利用すれば容易に作成することができる。なお、このバーコードラベル５０１は、バーコード情報保持媒体１０が印刷される面に接着剤や粘着剤を付与し、所望の基材に貼り付けて使用する。このような使用態様において、バーコード情報保持媒体１０に保持されるバーコード情報は、バーコード情報保持媒体１０の誘電率を利用して読み取られる。
【００１９】
（２）表面埋設型バーコードラベル５０２
このようなバーコードラベル５０２は、図２に示すような方法で作製することができる。図２において、先ず、（ａ）では、バーコードラベル作製用基盤６０の上にバーコード情報保持媒体１０を印刷する。なお、このバーコードラベル作製用基盤６０は、その表面がシリコン樹脂やフッ素樹脂などにより表面処理されており、バーコード情報保持媒体１０が非常に剥がれやすくなっている。そして、保護フィルム２０用のプラスチック材料の溶液２１をその上に塗布して（ｂ）のような状態にする。なお、この溶液２１を構成する溶媒は、バーコード情報保持媒体１０に対して貧溶媒であるか非溶媒であることが好ましい。もしこの溶媒がバーコード情報保持媒体１０に対して良溶媒であれば、バーコード情報保持媒体１０の形状を変形させるおそれがあるためである。また、このプラスチック材料は、バーコード情報保持媒体１０と良好な接着性を有していることが好ましい。そして、その溶液２１中の溶媒を、例えば、自然乾燥、減圧乾燥、加熱乾燥、または減圧加熱乾燥などにより除去すると、（ｃ）に示すような状態になる。（ｃ）において、保護フィルム２０を剥離させると、（ｄ）に示すような表面埋設型バーコード５０２を作製することができる。なお、このプラスチック材料の硬度は、バーコード情報保持媒体の材質の硬度よりも高い。このため、導電率検出電極を利用してそのバーコード情報を読み取ってもバーコード情報保持媒体１０の摩耗を防止することができる。また、このバーコードラベル５０２は、バーコード情報保持媒体１０が露出している面に接着剤や粘着剤を付与し、所望の基材に貼り付けて使用すると、より確実にバーコード情報保持媒体１０の摩耗を防止することができる。このような使用態様において、バーコード情報保持媒体１０に保持されるバーコード情報は、バーコード情報保持媒体１０の誘電率を利用して読み取られる。
【００２０】
（３）埋設型バーコードラベル５０３
このようなバーコードラベル５０３は、図３に示すような方法で作製することができる。図３において、先ず、（ａ）では、保護フィルム２０の上にバーコード情報保持媒体１０を印刷する。そして、保護フィルム２０用のプラスチック材料の溶液２１をその上に塗布して（ｂ）のような状態にする。そして、その溶液２１中の溶媒を、例えば、自然乾燥、減圧乾燥、加熱乾燥、または減圧加熱乾燥などにより除去すると、（ｃ）に示すような埋設型バーコード５０３を作製することができる。なお、このバーコードラベル５０３は、接着剤や粘着剤などを用いて所望の基材に貼り付けて使用される。また、このバーコードラベル５０３は、接着面または粘着面を選ばない。いずれにしてもバーコード情報保持媒体１０の摩耗を防止することができることができるからである。また、このバーコード情報保持媒体１０に保持されるバーコード情報は、バーコード情報保持媒体１０の誘電率を利用して読み取られる。
【００２１】
（４）透明バーコードラベル５１１
このようなバーコードラベル５１１は、従来の印刷技術などを利用すれば容易に作成することができる。ただし、保護フィルムの材料は、ガラス薄膜や透明性を有するプラスチック材料（ポリ塩化ビニル樹脂、アクリル樹脂、エポキシ樹脂、ポリカーボネイト、ポリウレタン樹脂、ポリエステル樹脂（ＰＥＴ樹脂など。）など。）を用いなければならない。なお、バーコード情報保持媒体については後述する。このバーコードラベル５１１は、バーコード情報保持媒体１０が印刷される面に接着剤や粘着剤を付与し、所望の基材に貼り付けて使用する。このような使用態様において、バーコード情報保持媒体１０に保持されるバーコード情報は、バーコード情報保持媒体１０の誘電率を利用して読み取られる。
【００２２】
＜バーコード情報保持媒体１０＞
（１）導電性カーボン粉末を利用したバーコード情報保持媒体１０
導電性を有するバーコード情報保持媒体１０は、導電性カーボン粉末を利用して調製することができる。例えば、プラスチック材料の溶液を調製し、それに導電性カーボン粉末を混練分散させると、黒色のインキができあがる。なお、導電性カーボン粉末とプラスチック材料との混合比には、十分に気を払う必要がある。プラスチック材料に対する導電性カーボン粉末の重量比または体積比が所定値以上でないと、導電性を示さないことがあり得るからである。導電性カーボン粉末は、プラスチック材料中で連続相を形成する程度に添加する必要があることに留意すべきである。
【００２３】
（２）ＩＴＯ粉末（Ｉｎ２Ｏ３、ＳｎＯ２、またはＩｎ２Ｏ３とＳｎＯ２との混合物）を利用したバーコード情報保持媒体１５
導電性を有する透明なバーコード情報保持媒体１５は、ＩＴＯ粉末を利用して調製することができる。例えば、透明プラスチック材料の溶液を調製し、それにＩＴＯ粉末を混練分散させると、透明のインキができあがる。なお、ＩＴＯ粉末と透明プラスチック材料との混合比には、十分に気を払う必要がある。透明プラスチック材料に対するＩＴＯ粉末の重量比または体積比が所定値以上でないと、導電性を示さないことがあり得るからである。ＩＴＯ粉末は、プラスチック材料中で連続相を形成する程度に添加する必要があることに留意すべきである。
【００２４】
また、ＩＴＯ膜は、スパッタリング加工技術を用いても形成可能である。この場合、透明保護フィルムの上にバーコードパターンのマスクを置いてスパッタリングを行えば、所望のバーコードパターンを形成することができる。
＜バーコードラベルの使用形態＞
（１）印刷面への添付
図４（ａ），（ｂ）および（ｃ）には、表面型透明バーコードラベル５１１の使用形態を表す図を示す。図４（ａ）において、表面型透明バーコードラベル５１１は、そのバーコード情報保持媒体１５側に透明な両面粘着テープが貼り付けられ、添付対象体３０の印刷文字４０上に添付されている。つまり、バーコードラベル５１１が付された状態であっても印刷文字は認識可能となっている。なお、表面型透明バーコードラベル５１１は、図４（ｂ）に示すように、透明な接着剤を介して添付対象体３０の印刷文字４０上に接着されてもかまわない。また、表面埋設型透明バーコードラベルが、図３に示すように、透明の両面粘着テープを介して添付対象体３０の印刷文字４０上に添付されることも考えられる。
【００２５】
（２）バーコード情報の読み取り装置およびその読み取り方法
図６には、バーコード情報の読み取り装置の一部を示す。この読み取り装置には、そのケーシング１００の内部に２対の電極１１０ａ，１１０ｂを収められている。スキャン方向に等方性を持たせるためである。なお、１対の電極間の距離は、バーコード情報保持媒体を構成する矩形バーのうち最も細い矩形体の幅の半分となっている。読み取り精度を良好に保つためである。そして、この読み取り装置は、バーコードラベル５１１の保護フィルムに接触された状態でバーコード情報保持媒体の矩形バーの並列方向にスキャンされると、そのバーコード情報保持媒体に保持されるバーコード情報を読み取ることができる。
【００２６】
＜透明バーコードラベル５１１の応用例＞
図７には、本実施の形態に係る透明バーコードラベル５１１の応用例を示す。本応用例には、リモコン冊子２００、リモコン１７０およびリモコン制御対象の家電機器３００，３１０が登場する。
（１）リモコン冊子２００
本リモコン冊子２００には、複数の家電メーカーが製造販売している複数の家電機器３００，３１０のリモコンのデザインが掲載されている。そして、本来のリモコンの操作ボタンに当たる部分全てに透明バーコードラベル５１１が付されている。なお、添付の態様は、先に示すとおりである。また、これらの透明バーコードラベル５１１には、本来の操作ボタンに対応する制御信号が化体されている。なお、バーコード情報から制御信号への変換は、下記に記載のリモコン装置において行われる。詳細は、下記のリモコン装置の項目で説明する。
【００２７】
（２）リモコン装置１７０
図８には、リモコン装置１７０の構成図を示す。このリモコン装置１７０は、電極１１０、Ａ／Ｄ変換部４０２、デコーダ４０３、リモコン信号生成部４０４、送信部４０５および送信ボタン４０６を備える。電極１１０は、誘電率を検出する。なお、この電極１１０は、図６に示すように、ケーシング１００に収められている。また、この電極間距離は、バーコード情報保持媒体１０を構成する矩形バーのうち最も細い矩形体の幅の半分となっている。Ａ／Ｄ変換部４０２は、誘電率の検出信号をデジタル情報に変換する。デコーダ４０３は、デジタル信号を図７に示すエアコン３００やテレビ３１０の制御信号に変換する。リモコン信号生成部４０４は、制御信号に基づいてリモコン信号を生成する。送信部４０５は、送信ボタン４０６が押されると、リモコン信号をエアコン３００やテレビ３１０に対して送信する。
【００２８】
＜バーコードラベル５０１，５０２，５０３，５１１およびリモコン装置１７０の特徴＞
（１）
本実施の形態に係るバーコードラベル５０１，５０２，５０３，５１１は、誘電率を検出することによりそのバーコード情報を読み取られることが可能である。このため、読み取り電極１１０などが直接バーコード情報保持媒体１０，１５に接触することがない。このため、バーコード情報保持媒体１０，１５の摩耗を防ぐことができる。
【００２９】
（２）
本実施の形態に係る表面埋設型バーコードラベル５０２において、保護フィルム２０は、その硬度がバーコード情報保持媒体１０の材質の硬度よりも高い。このため、導電率計測電極を利用してそのバーコード情報を読み取ってもバーコード情報保持媒体１０の摩耗を防止することができる。
【００３０】
（３）
本実施の形態に係る透明バーコードラベルは、リモコン冊子２００に応用された。応用例では、家電機器３００，３１０の使用者は、１台のリモコン装置１７０でエアコン３００およびテレビ３１０を制御することが可能である。したがって、家庭内におけるリモコン装置の管理を容易にすることができる。
【００３１】
（４）
本実施の形態に係るリモコン装置１７０は、バーコード情報保持媒体１０，１５が保護フィルム２０，２２などで保護されている場合であっても、その誘電率を検出することによりそのバーコード情報を読み取ることができる。また、そのバーコード情報を利用して、家電機器３００，３１０を制御することができる。
【００３２】
（５）
本実施の形態に係るリモコン装置１７０では、１対の電極１１０の電極間距離が、バーコード情報保持媒体１０，１５を構成する矩形バーのうち最も細い矩形バーの幅の半分以下である。このため、バーコード情報保持媒体１０，１５を精度よく読み取ることができる。
【００３３】
＜変形例＞
（１）
先の実施の形態では、透明バーコードラベル５１１が作製された後に、そのバーコードラベル５１１が、接着剤層または粘着層を介して添付対象体３０の印刷文字４０上に添付された。しかし、必ずしもこのようにして透明バーコードラベル５１１を添付対象体３０に付さなければならないわけではない。図５に示すように、添付対象体３０の印刷文字４０上に透明バーコード情報保持媒体１５を印刷し、続いて、基盤に透明バーコード情報保持媒体１５を形成した後に、保護フィルム２２を形成してもよい。ここでは、先ず、（ａ）において、添付対象体３０の印刷文字４０上に透明バーコード情報保持媒体が印刷される。そして、（ｂ）において、透明保護フィルム２０の材料である透明プラスチック溶液２３を透明バーコード情報保持媒体１５印刷面に塗布する。そして、その溶液２３中の溶媒を、例えば、自然乾燥、減圧乾燥、加熱乾燥、または減圧加熱乾燥などにより除去すると、（ｃ）に示すような形態になる。このようなプロセスを用いれば、接着剤層や粘着層を省くことができる。このため、コスト削減に繋がる。
【００３４】
（２）
先の実施の形態では、印刷文字４０が認識できるように透明バーコードラベル５１１を添付対象体３０の印刷文字４０上に添付した。しかし、文字などが認識できるようにする目的を達成するには、必ずしもバーコードラベルが透明でなければならないことはない。保護フィルム２０そのものに文字を付してもよいからである。ただし、保護フィルム２０の表面の平滑性をある程度失わないように留意することが必要であると思われる。読み取り精度が落ちる可能性が否めないためである。なお、保護フィルムに文字を付すには、印刷かエッチングなどの技術を利用することができる。
【００３５】
（３）
先の実施の形態に係るリモコン装置は、通常のリモコン装置に誘電率検出電極を設けたものであったが、これに代えて、リモコン機能を有する携帯電話や携帯端末（例えば、ＰＤＡなど。）などに誘電率検出電極を設けてもよい。このようにすれば、さらに、多機能なリモコン装置を提供することができる。
【００３６】
【発明の効果】
請求項１に係るバーコードラベルは、例えば、バーコード情報保持媒体が第１非導電性保護部材の上に形成されるようなバーコードラベルの場合、そのバーコードラベルは、バーコード情報保持媒体の保持側の面が基材と面するように両面テープや接着剤などを用いて粘着または接着される。そして、誘電率検出電極を備える読み取り装置が、その誘電率検出電極により第１非導電性保護部材を介してバーコード情報保持媒体の誘電率を検出し、その検出結果を利用してバーコード情報保持媒体に保持されているバーコード情報を読み取る。このため、その読み取り装置が、バーコード情報保持媒体に直接接触することがない。したがって、バーコード情報保持媒体の摩耗劣化を防ぐことができる。また、第１非導電性保護部材が透明でなければ、人は、バーコードパターンを読み取ることができない。このため、偽造や改ざんを困難にすることができるという利点も生じる。
【００３７】
請求項２に係るバーコードラベルでは、バーコード情報保持媒体は、第１非導電性保護部材の内部に埋設される。このため、バーコード情報保持媒体の摩耗を防ぐことができる。なお、このような形態のバーコードラベルでは、バーコード情報保持媒体の誘電率を計測することによりそのバーコード情報を読み取ることが可能である。
【００３８】
請求項３に係るバーコードラベルでは、バーコード情報保持媒体が第１非導電性保護部材の表面付近まで埋設されており、かつ、第１非導電性保護部材がその材質の硬度がバーコード表示の材質の硬度よりも高い。このため、バーコード情報保持媒体の導電率を計測する場合であっても、バーコード情報保持媒体の摩耗を防ぐことができる。また、このバーコードラベルは、裏返して用いられてもよい。この場合は、バーコード情報保持媒体の誘電率を計測することになる。このように裏返して使用すれば、さらに確実にバーコード情報保持媒体の摩耗を防ぐことができる。
【００３９】
請求項４に係るバーコードラベルでは、第１非導電性保護部材およびバーコード情報保持媒体が、透明性を有する。このため、このバーコード情報保持媒体に保持されるバーコード情報に対応する文字や図形などの上にそのバーコードラベルを添付すれば、人は、その文字や図形などを理解した上で、そのバーコード情報を利用することができる。このようなバーコードラベルの用途の一例として、家電製品のリモコンが挙げられる。通常、一つの家電製品には、一つのリモコン装置が用意されている。このため、家庭内には、テレビのリモコン、ビデオのリモコン、オーディオのリモコン、空気調和機のリモコンなど多種多様なリモコンが散乱していることが多い。そこで、全ての家電製品に対応するリモコン装置の登場が望まれることになる。ここで、例えば、冊子などに複数のメーカーが製造販売する複数の家電製品のリモコンのデザインを掲載し、そのデザイン上にその制御信号に変換可能なバーコード情報を付加しておけば、その家電の使用者は、１台のリモコン装置で複数の家電製品を制御することが可能となる。したがって、家庭内におけるリモコン装置の管理を容易にすることができる。
【００４０】
請求項５に係るバーコードラベルでは、人が識別可能な文字や図形の上に透明なバーコード情報保持媒体が設けられる。このため、人は、その意味を理解しながらそのバーコード情報を利用することができる。
請求項６に係るリモコン装置では、１対の電極が第１非導電性保護部材を介してバーコード情報保持媒体の誘電率を検出すると、Ａ／Ｄ変換部が、誘電率の計測信号をデジタル信号に変換する。続いて、デコーダが、デジタル信号を制御信号に変換する。さらに続いて、リモコン信号生成部が、制御信号に基づいてリモコン信号を生成する。そして、送信部が、リモコン信号を送信する。このため、バーコード情報保持媒体が保護フィルムなどで保護されている場合であっても、その誘電率を利用してバーコード情報を読み取ることができる。また、そのバーコード情報を利用して、対象となる設備機器を制御することができる。
【００４１】
請求項７に係るリモコン装置では、１対の電極の電極間距離が、バーコード情報保持媒体を構成する矩形体のうち最も細い矩形バーの幅の半分以下である。このため、バーコード情報保持媒体を精度よく読み取ることができる。
【図面の簡単な説明】
【図１】本発明に係るバーコードラベル５０１，５０２，５０３，５１１の形態を表す図。
【図２】表面埋設型バーコードラベル５０２の作製の一例を表す図。
【図３】埋設型バーコードラベル５０３の作製の一例を表す図。
【図４】透明バーコードラベル５１１の使用形態を表す図。
【図５】透明バーコードラベル５１１の作製の一例を表す図。
【図６】透明バーコードラベル５１１に保持されるバーコード情報を読み取る方法を表す図。
【図７】本発明に係るバーコードラベル５１１の一使用形態を表す図。
【図８】本発明に係るリモコン装置１７０の内部構成を表す図。
【符号の説明】
１０              バーコード情報保持媒体
１５              透明なバーコード情報保持媒体
２０              保護フィルム（第１非導電性保護部材）
２１              樹脂溶液
２２              透明な保護フィルム（第１非導電性保護部材）
２３              透明なプラスチック樹脂の溶液
３０              バーコードラベルの添付対象体（第２非導電性部材）
４０              印刷文字
５０              透明な両面テープ
５５              透明な接着剤層
６０              バーコードラベル作製用基盤
１００              電極のケーシング
１１０，４０１      誘電率検出電極
１１０ａ            第１誘電率計測電極
１１０ｂ            第２誘電率計測電極
１３０              リモコンのケーシング
１４０，４０６      送信ボタン
１５０              赤外線ＬＥＤ
１７０              リモコン装置
２００              リモコン冊子（第２非導電性部材）
３００              エアコン（設備機器）
３１０              テレビ受信器（設備機器）
４０２              Ａ／Ｄ変換部
４０３              デコーダ
４０４              リモコン信号生成部
４０５              送信部
５０１              表面型バーコードラベル
５０２              表面埋設型バーコードラベル
５０３              埋設型バーコードラベル
５１１              表面型透明バーコードラベル
【図１】
2005010889.tif 000003
【図２】
2005010889.tif 000004
【図３】
2005010889.tif 000005
【図４】
2005010889.tif 000006
【図５】
2005010889.tif 000007
【図６】
2005010889.tif 000008
【図７】
2005010889.tif 000009
【図８】
2005010889.tif 000010